(57)【特許請求の範囲】
【請求項１】
防水パン上に立設される前板部と、該前板部の上端から外側へ向かって略水平状をなす天板部で構成されるカウンターであって、前記天板部の、前板部側以外の外周には補強片が立設され、該補強片の交差する内側にコーナーポストを立設可能に構成されていることを特徴とするユニットバスのカウンター構造。
【請求項２】
前記天板部の前板部側端縁は、下側へ曲げられていることを特徴とする請求項１に記載のユニットバスのカウンター構造。
【発明の詳細な説明】
【０００１】
【産業上の利用分野】
この発明は、ユニットバスのカウンター構造に関するものである。
【０００２】
【従来の技術及びその課題】
従来、図１０に示すように、ユニットバスの床面を構成する防水パン１の外周上にカウンター２を設ける場合に、カウンター２は壁パネル５１と連結させて自立させる構成となっている。
即ち、カウンター２は、防水パン１上に立設される前板部４と、前板部４の上端で外側へ略水平状をなす天板部５でＬ字状に形成されて、裏側の枠体３に固定されたものとなっており、一方、壁パネル５１のカウンター２が接合される部位はＬ字状に切り欠かれてクリップ５２，５２が固定状に取り付けられたものとなっており、図１１の平面図で示すように、壁パネル５１はタイルパネルで構成されて、裏側には角パイプフレーム５１ａが設けられているが、この角パイプフレーム５１ａにボルトを介してクリップ５２が固定されており、このクリップ５２に対して、カウンター２の枠体３に予め取り付けておいた係合金具５３を嵌め込んで、壁パネル５１にカウンター２が連結され、コーナー部で自立する構造となっており、従来においては、ユニットバスの室内側寸法が縮小されてしまい、強度的に弱い鋼板からなる壁パネルではカウンター２を自立させることができないという問題点があった。
【０００３】
【課題を解決するための手段】
本発明は上記従来の問題点に鑑み案出したものであって、ユニットバスの側壁面が鋼板パネルで構成される場合にも良好にカウンターを自立させて設置できるユニットバスのカウンター構造を提供せんことを目的とし、その第１の要旨は、防水パン上に立設される前板部と、該前板部の上端から外側へ向かって略水平状をなす天板部で構成されるカウンターであって、前記天板部の、前板部側以外の外周には補強片が立設され、該補強片の交差する内側にコーナーポストを立設可能に構成されていることである。
また、第２の要旨は、前記天板部の前板部側端縁は、下側へ曲げられていることである。
【０００４】
【実施例】
以下、本発明の実施例を図面に基づいて説明する。
図１は、防水パンにカウンターを自立させた状態の斜視構成図であり、本例では、カウンター２の前板部４の下端の左右両側にブラケット６，６を取り付け、このブラケット６，６で防水パン１上にカウンター２を固定状に自立させたものである。
【０００５】
カウンター２は、前板部４の上端に外側へ水平状に天板部５が設けられて、裏側は枠体３で補強されており、図２の平面図で示すように、ブラケット６がビス８により防水パン１のコーナー部に固定され、前板部４の側端縁４ａに対し、防水パン１上に建付けられる鋼板パネルからなる壁パネル７の端縁片７ａが当接するように、前記ブラケット６には内側へ折り曲げた折曲部６ａが形成されており、この折曲部６ａが壁パネル７のストッパーの役目を果たすように構成されている。
【０００６】
なお、図３に示すように、前板部４の側端縁４ａに対して端縁片７ａ側がラップするように壁パネル７を建付けることもでき、この場合は、前板部４と壁パネル７のラップする部分に室内側からシリコンＣが充填されてシールされるものである。
【０００７】
なお、図４に分解図で示すように、カウンター２の枠体３に対し、前板４を着脱交換可能に構成しておくことができ、前板部４を化粧処理した化粧板で構成して、その側端縁４ａ側を枠体３の係入溝３ａ内に係入させて、枠体３に前板部４を着脱可能に取り付けることができるように構成しておき、適宜、前板部４を色の異なるもの等に交換して、浴室内の意匠性を高めることができる。
【０００８】
また、図５に示すように、前板部４と天板部５を１枚の化粧板材を折り曲げ加工して、一体状にカウンター２を形成させることもでき、このようなカウンター２では、スッキリとした外観を呈して軽量に形成でき、設置状態では優れた意匠性を発揮することができるものとなる。
【０００９】
さらにカウンター２の天板部５を図６に示すような形状に形成することができ、天板部５の前板部４側を除く外周に、コの字状に補強片１０ａ，１０ｂ，１０ｂを立設させたもので、後側の補強片１０ａに対して左右両側に直交状に補強片１０ｂ，１０ｂが設けられ、この補強片１０ａと補強片１０ｂの交差する内側にコーナーポスト１２を立設させて、コーナーポスト１２で壁パネル７，７のコーナー部を連結させることができるものである。
なお、側面補強片１０ｂ，１０ｂは、さらに内側へ突出した突出部１０ｃ，１０ｃを形成しており、また、天板部５の内端には垂下状に前垂れ片１１が折り曲げ形成されている。
【００１０】
このような形状の天板部５は、図７の側面図で示すように、枠体３の上面に固定されて、前板部４よりも室内側に前記前垂れ片１１が当接配置されるものであり、天板部５に溜まる水を良好に前垂れ片１１を介して室内側に流出させることができるものとなる。
【００１１】
また、前記突出部１０ｃ，１０ｃは、図８の平面構成図で示すように、壁パネル７，７の連結用の平ポスト１３，１３の外側に当接させることができ、ビス８により平ポスト１３，１３の外側にこの突出部１０ｃ，１０ｃを固定させて、カウンター２をより良好に自立固定させることができるものとなる。
なお、この平ポスト１３と前記コーナーポスト１２間には、鋼板のパネルからなる壁パネル７が取り付けられ、壁パネル７，７の交差するコーナーには目地材１４が嵌め込まれるものである。
【００１２】
さらにカウンター２の天板部５を図９に示すような形状に形成することができ、天板部５の前板部側内端に、垂下状に前垂れ片１１を折り曲げ形成して、前垂れ片１１の内側にビス８によりポスト１３を固定可能に構成して、カウンター２をより良好に自立固定させることができるものとなる。
【００１３】
【発明の効果】
本発明は、防水パン上に立設される前板部と、前板部の上端から外側へ向かって略水平状をなす天板部で構成されるカウンターであって、天板部の、前板部側以外の外周には補強片が立設され、補強片の交差する内側にコーナーポストを立設可能に構成されていることにより、補強片の内側コーナー部に、壁パネルを建付けるためのコーナーポストを良好に立設させることができ、カウンター上に良好にコーナーポストの建付けが可能となる。
【００１４】
また、カウンターの天板部の前板部側端縁は、下側へ曲げられていることにより、天板部の前板部側にポストを固定させて、カウンターの自立強度を向上させることができるものとなる。
【図面の簡単な説明】
【図１】  防水パン上にブラケットを介しカウンターを固定させた状態の斜視構成図である。
【図２】  カウンターに対し壁パネルを当接させて建付けた状態の要部平面構成図である。
【図３】  カウンターに対し壁パネルの端部をラップさせて建付けた状態の要部平面構成図である。
【図４】  前板部が着脱可能に構成されたカウンターの分解斜視図である。
【図５】  前板部と天板部を折り曲げて一体形成したカウンターの斜視構成図である。
【図６】  カウンターの天板部にコーナーポストを立設させる前の状態の分解図である。
【図７】  防水パン上に自立させたカウンターの側面構成図である。
【図８】  カウンターの補強片とポストとの関係を示す平面構成図である。
【図９】  ポストを固定可能に天板部の前端縁が下側へ曲げられているカウンターの斜視構成図である。
【図１０】  従来の壁パネルに連結させるカウンターの斜視構成図である。
【図１１】  従来の壁パネルとカウンターとの連結構造を示す要部平面構成図である。
【符号の説明】
１  防水パン
２  カウンター
３  枠体
３ａ  係入溝
４  前板部
４ａ  側端縁
５  天板部
６  ブラケット
６ａ  折曲部
７  壁パネル
７ａ  端縁片
８  ビス
１０ａ，１０ｂ  補強片
１０ｃ  突出部
１１  前垂れ片
１２  コーナーポスト
１３  ポスト
Ｃ  シリコン
【図１】
0003728584.tif 000002
【図２】
0003728584.tif 000003
【図３】
0003728584.tif 000004
【図４】
0003728584.tif 000005
【図５】
0003728584.tif 000006
【図６】
0003728584.tif 000007
【図７】
0003728584.tif 000008
【図８】
0003728584.tif 000009
【図９】
0003728584.tif 000010
【図１０】
0003728584.tif 000011
【図１１】
0003728584.tif 000012